(57)【要約】【課題】筒体内の土壌温度の変化幅を小さくし、また土壌温度の過度な上昇を防止することができるカンゾウ属植物の栽培方法を提供する。【解決手段】培土を収容した栽培用筒体１〜１Ｂ内においてカンゾウ属植物を生育させるカンゾウ属植物の栽培方法において、該栽培用筒体１〜１Ｂの略全体を上下方向に土壌に埋めて栽培を行うことを特徴とするカンゾウ属植物の栽培方法。筒体の内周面に凸部を設けてもよい。筒体の上端に切欠部１ｄを設けてもよい。切欠部１ｄから地下茎が側方に伸長生長する。【選択図】図１
2019187336.tif 000002
【特許請求の範囲】
【請求項１】
培土を収容した栽培用筒体内においてカンゾウ属植物を生育させるカンゾウ属植物の栽培方法において、該栽培用筒体の略全体を土壌に上下方向に埋めて栽培を行うことを特徴とするカンゾウ属植物の栽培方法。
【請求項２】
前記栽培用筒体の上端部以外を前記土壌に埋めることを特徴とする請求項１のカンゾウ属植物の栽培方法。
【請求項３】
前記栽培用筒体の上端縁から下方に向って切欠部が設けられており、該切欠部を通して地下茎を該筒体周囲の土壌中に伸長生長させることを特徴とする請求項１又は２のカンゾウ属植物の栽培方法。
【請求項４】
前記筒体周囲の土壌表面に沿ってトレーを埋めておき、前記地下茎を該トレーの上側の土壌中に伸長生長させることを特徴とする請求項３のカンゾウ属植物の栽培方法。
【請求項５】
前記栽培用筒体の内周面に凸部が設けられていることを特徴とする請求項１〜４のいずれかのカンゾウ属植物の栽培方法。
【請求項６】
前記栽培用筒体の内周面に沿って不織布又は遮根シートが配置されていることを特徴とする請求項１〜５のいずれかのカンゾウ属植物の栽培方法。
【請求項７】
前記栽培用筒体は、底板部を有しており、該底板部に透水孔が設けられていることを特徴とする請求項１〜６のいずれかのカンゾウ属植物の栽培方法。
【請求項８】
土壌中に埋設されてカンゾウ属植物の栽培に用いられる栽培用筒体であって、該筒体を筒軸心線方向が上下方向となるようにした使用姿勢における上端側から、下方に向って、地下茎伸び出し用の切欠部が設けられているカンゾウ属植物栽培用筒体。
【請求項９】
土壌中に埋設されてカンゾウ属植物の栽培に用いられる栽培用筒体であって、該筒体の内周面に凸部が設けられているカンゾウ属植物栽培用筒体。
【発明の詳細な説明】
【技術分野】
【０００１】
本発明は、カンゾウ属植物の栽培方法に関する。また、本発明は、カンゾウ属植物の栽培に用いられる筒体に関する。
【背景技術】
【０００２】
カンゾウ属植物は、薬用植物として広く用いられている。カンゾウ属植物は、主として地下部が利用されるため、真直ぐ且つ肥大化した根及び地下茎部（ストロンともいう）を得るための栽培方法として、カンゾウ属植物を円筒形の栽培用筒体内の培土に植えて栽培する方法が特許文献１に記載されている。
【先行技術文献】
【特許文献】
【０００３】
【特許文献１】特開２０１０−２９１８１号公報
【発明の概要】
【発明が解決しようとする課題】
【０００４】
特許文献１では、カンゾウ属植物を植えた栽培用筒体をハウス内の土壌上に起立配置して栽培を行う。このような栽培方法では、筒体の外周面の全体が外気に露呈しているため、気温の変化にほぼ追従して筒体内の培土の温度も変化することになり、培土の温度変化幅が大きい。また、夏季など高温期に筒体温度が高くなることで培土温度が過度に高くなり、生育限界温度を超えたり、培土水分が蒸発してカンゾウ属植物が水分不足により枯れたり、あるいは高温性ピシウム菌に罹病するおそれがある。
【０００５】
本発明は、筒体内の土壌温度の変化幅を小さくし、また土壌温度の過度な上昇を防止することができるカンゾウ属植物の栽培方法を提供することを目的とする。
【０００６】
また、本発明は、この栽培方法に用いるのに好適な栽培用筒体を提供することを目的とする。
【課題を解決するための手段】
【０００７】
上記課題を解決するために、本発明は次を要旨とする。
［１］  培土を収容した栽培用筒体内においてカンゾウ属植物を生育させるカンゾウ属植物の栽培方法において、該栽培用筒体の略全体を土壌に上下方向に埋めて栽培を行うことを特徴とするカンゾウ属植物の栽培方法。
【０００８】
［２］  前記栽培用筒体の上端部以外を前記土壌に埋めることを特徴とする［１］のカンゾウ属植物の栽培方法。
【０００９】
［３］  前記栽培用筒体の上端縁から下方に向って切欠部が設けられており、該切欠部を通して地下茎を該筒体周囲の土壌中に伸長生長させることを特徴とする［１］又は［２］のカンゾウ属植物の栽培方法。
【００１０】
［４］  前記筒体周囲の土壌表面に沿ってトレーを埋めておき、前記地下茎を該トレーの上側の土壌中に伸長生長させることを特徴とする［３］のカンゾウ属植物の栽培方法。
【００１１】
［５］  前記栽培用筒体の内周面に凸部が設けられていることを特徴とする［１］〜「４］のいずれかのカンゾウ属植物の栽培方法。
【００１２】
［６］  前記栽培用筒体の内周面に沿って不織布又は遮根シートが配置されていることを特徴とする［１］〜［５］のいずれかのカンゾウ属植物の栽培方法。
【００１３】
［７］  前記栽培用筒体は、底板部を有しており、該底板部に透水孔が設けられていることを特徴とする［１］〜［６］のいずれかのカンゾウ属植物の栽培方法。
【００１４】
［８］  土壌中に埋設されてカンゾウ属植物の栽培に用いられる栽培用筒体であって、該筒体を筒軸心線方向が上下方向となるようにした使用姿勢における上端側から、下方に向って、地下茎伸び出し用の切欠部が設けられているカンゾウ属植物栽培用筒体。
【００１５】
［９］  土壌中に埋設されてカンゾウ属植物の栽培に用いられる栽培用筒体であって、該筒体の内周面に凸部が設けられているカンゾウ属植物栽培用筒体。
【００１６】
なお、本発明において、カンゾウ属植物としては、ウラルカンゾウ（G.uralensis）、スペインカンゾウ（G.glabra）などが例示されるが、これらに限定されない。
【発明の効果】
【００１７】
本発明のカンゾウ属植物の栽培方法では、栽培用筒体を土壌中に埋めることにより、筒体温度が土壌温度に追従し、筒体内の培土の温度の変動が抑制されると共に、大気温度が高い場合でも該培土の過度な温度上昇が防止される。これにより、培土の過剰な乾燥や、高温性ピシウム菌に罹病することが防止される。
【００１８】
本発明の一態様では、筒体上端部に切欠部を設けておくことにより、地下茎を効率よく伸長生長させたり、収穫したりすることができる。
【００１９】
本発明の一態様では、筒体の内周面に凸部を設けておくことにより、カンゾウ属植物と共に培土を筒体から引き抜くときの摩擦抵抗を小さくすることができる。
【００２０】
筒体の内周面に沿って不織布又は遮根シートを配置しておくことにより、この引き抜き時の摩擦抵抗を小さくすることができる。
【図面の簡単な説明】
【００２１】
【図１】（ａ）は実施の形態に係る栽培用筒体の斜視図、（ｂ）はその使用状態を示す断面図である。
【図２】実施の形態に係る栽培方法を示す断面図である。
【図３】（ａ）は実施の形態に係るカンゾウ属植物の栽培用筒体の斜視図、（ｂ）は（ａ）のＢ−Ｂ線断面図である。
【図４】実施の形態に係るカンゾウ属植物の栽培用筒体の斜視図である。
【図５】実施の形態に係る栽培方法を示す断面図である。
【図６】実施の形態に係る栽培方法を示す平面図である。
【発明を実施するための形態】
【００２２】
以下、図面を参照して実施の形態について説明する。
【００２３】
図１（ａ）は、本発明の栽培用筒体の一例を示す斜視図である。この栽培用筒体１は、円筒部１ａを有した円筒形であり、略筒型形状を有するものであれば、素材や大きさによらず用いることができる。筒体１の内径の下限値は３０ｍｍ以上、特に５０ｍｍ以上が好ましい。筒体１の内径の上限値は、一つの筒体に複数のカンゾウ属植物Ｐを入れる場合は、５００ｍｍ以下、特に３００ｍｍ以下が好ましい。筒体１の内径の上限値は、一つの筒体に１株のカンゾウ属植物Ｐを入れる場合は、２００ｍｍ以下、特に１５０ｍｍ以下が好ましい。また、筒体１の長さの下限値は５００ｍｍ以上、特に７００ｍｍ以上が好ましく、長さの上限値は、２０００ｍｍ以下、特に１５００ｍｍ以下が好ましい。
【００２４】
筒体１の内径や長さの下限値をこのような範囲とすることにより、カンゾウ属植物Ｐの地下部が十分に生長することができる。また、筒体１の内径や長さの上限値をこのような範囲とすることにより、土壌Ｓに埋設にした筒体１を取り出す作業が容易となる。
【００２５】
なお、この栽培用筒体１は、底部１ｂには複数個の小孔（透水孔）１ｃを有する底板部、または仕切り部材が設けられている有底円筒形であることが好ましい。底部１ｂは、筒体と同じ素材で形成されるものであっても、他の素材からなる仕切り部材であってもよく、例えば、不織布又は遮根シートのようなシート状部材や、根が通過しない小さな孔を有する板状部材などが挙げられる。仕切り部材が板状部材の場合、例えば、樹脂素材、金属素材、または木材などがある。
【００２６】
図１（ｂ）の通り、筒体１内に培土Ｃが充填され、カンゾウ属植物Ｐが植えられ、生育される。この筒体１は上端部以外の略全体が畑などの土壌Ｓ中に円筒部１ａの筒軸心線方向を上下方向（例えば略鉛直方向）として埋設されている。筒体１の土壌Ｓ表面からの突出高さは３０ｍｍ以上、特に５０ｍｍ以上が好ましく、２００ｍｍ以下、特に１５０ｍｍ以下が好ましい。筒体１の土壌Ｓ表面からの突出高さの下限値をこのような範囲とすることにより、カンゾウ属植物Ｐの地下部が生長した後に土壌Ｓから筒体１を取り出す作業が容易となる。また、筒体１の土壌Ｓ表面からの突出高さの上限値をこのような範囲とし、筒体の大部分を適切に土壌Ｓに埋設することにより、外気温の追従を小さくする効果やこれによるカンゾウ属植物の生育向上効果が発現しやすくなる。
【００２７】
なお、本発明において、栽培用筒体の「上端部」とは、土壌Ｓ中に埋設される際の上下方向における栽培用筒体の上端を示し、「底部」とは土壌Ｓ中に埋設される際の上下方向における栽培用筒体の下部を示す。
【００２８】
本発明において使用される培土Ｃとしては、土や砂など自然界に存在する培土や土壌Ｓのほか、ロックウール、パーライト、礫（レキ）などの無機培地やピートモス、ヤシガラ、バークなどの有機培地などの人工床土などが挙げられる。
【００２９】
土壌Ｓはハウス内であってもよく、ハウス外であってもよい。
【００３０】
なお、土壌Ｓがハウス外、すなわち屋外の場合、カンゾウ属植物Ｐは雨風等の影響を受ける。筒体１の土壌Ｓ表面からの突出高さの値を上記の範囲とすることにより、雨水の土壌からの跳ね返りが無くなり、病害の発生がしやすい状況となることが防止される。
【００３１】
カンゾウ属植物は多年生植物であり、冬期に葉が枯れ落ちる。土壌表面Ｓから突出した筒体１上部が風よけとなり、カンゾウ属植物の地上部における適切な箇所を支点として折れる。地表面に近い地際部で折れると、カンゾウ属植物の体内に土壌から病原菌が入る可能性が高くなるものであるが、筒体１の土壌Ｓ表面からの突出高さの値を上記の範囲とすることにより、折れた箇所から病原菌が入り込んで感染することが抑制される。
【００３２】
このように筒体１を土壌Ｓに埋設することにより、大気温度が大きく変動しても、筒体１内の培土Ｃの温度変化は小さいものとなる。また、夏季など大気温度が高温となっても、培土温度の上昇が抑制される。このため、生育限界温度を超える培土の過度な温度上昇や乾燥によるカンゾウ属植物の枯れや、高温性ピシウム菌に罹病することが防止される。
【００３３】
カンゾウ属植物Ｐが十分に生長した後は、筒体１を土壌Ｓから取り出し、筒体１内から培土Ｃと共にカンゾウ属植物Ｐを取り出し、収穫する。
【００３４】
筒体１を土壌Ｓから取り出し易くするために、図２の通り、高畝Ｒに埋設してもよい。
【００３５】
本発明では、円筒部１ａの内周面に凸部を設けてもよい。凸部は、半球体などの突起であってもよく、後述の図３のように、筋状に延在する凸条であってもよい。複数の凸部が規則的に設けられてもよく、ランダムに設けられてもよい。
【００３６】
円筒部１ａの内周面からの凸部の起立高さは、３ｍｍ以上、特に５ｍｍ以上が好ましく、１５ｍｍ以下、特に１０ｍｍ以下が好ましい。凸部の幅は、５ｍｍ以上、特に１０ｍｍ以上が好ましく、２５ｍｍ以下、特に２０ｍｍ以下が好ましい。
【００３７】
図３の筒体１Ａは、円筒部１ａの内周面に、凸部として、円筒部１ａの軸心線と平行方向に延在する凸条１ｔを設けたものである。この場合、凸条１ｔは、円筒部１ａの内周面の周方向に好ましくは等間隔で、例えば、３〜８条程度、特に４〜６条設けられることが好ましい。凸条１ｔの円筒部１ａからの起立高さは、３ｍｍ以上、特に５ｍｍ以上が好ましい。また、１５ｍｍ以下、特に１０ｍｍ以下が好ましい。凸条１ｔの幅は５ｍｍ以上、特に１０ｍｍ以上が好ましい。また、２５ｍｍ以下、特に２０ｍｍ以下が好ましい。凸条１ｔは、円筒部１ａの上端から下端まで連続して延在することが好ましい。
【００３８】
この凸条１ｔなどの凸部を設けると、収穫時に培土Ｃと筒体１Ａの内周面（特に凸条１ｔ付近）との間に隙間が生じ、培土Ｃ及びカンゾウ属植物Ｐを筒体１Ａから引き抜くときの筒体内周面との摩擦抵抗が小さくなり、培土Ｃ及びカンゾウ属植物Ｐを筒体１から引き抜き易くなる。
【００３９】
なお、図示の凸条１ｔは、延在方向を直交方向の断面形状が円弧形断面形状となっているが、角形、方形、多角形などの断面形状とされてもよい。
【００４０】
本発明では、筒体の内周面に沿って不織布を配材してもよい。このように不織布を筒体内周面に沿って設けることにより、培土Ｃ及びカンゾウ属植物Ｐを筒体から引き抜くときに、培土Ｃと筒体内周面との摩擦抵抗が小さくなり、培土Ｃ及びカンゾウ属植物Ｐを筒体から引き抜き易くなる。特に、凸条１ｔを設けた筒体１Ａにおいて、不織布を内周面に沿って設けると、凸条１ｔ付近で不織布と筒体内周面との間に隙間が生じ、培土Ｃと筒体内周面との摩擦抵抗が小さくなる。
【００４１】
不織布としては、ポリエチレン、ポリプロピレン、ポリエチレンテレフタレート、ナイロンなどの合成樹脂製不織布が好適である。不織布は、先端の閉じた筒状に形成されて筒体内に挿入されるようにして筒体内周面に沿って配置されるのが好ましいが、不織布の配置方法はこれに限定されない。不織布の代わりに遮根シートを用いてもよい。遮根シート（根切シート）としては、ポリエチレン、ポリプロピレン、ポリエチレンテレフタレートナイロンなどの合成樹脂製素材のほか、生糸などの天然素材を使用することもでき、これらを糸として織られた平織の密な織物（例えば、タフタ）などを用いることができる。
【００４２】
本発明では、図４に示す筒体１Ｂの通り、円筒部１ａの上端から下方に向って切欠部１ｄを設けてもよい。切欠部１ｄの形状はＵ字状とされているが、これに限定されず、地下茎Ｔを誘導できるものであればよい。切欠部１ｄの大きさは地下茎Ｔを誘導できる大きさとされる。例えば、切欠部１ｄの深さは２０ｍｍ以上、特に４０ｍｍ以上が好ましく、１５０ｍｍ以下、１００ｍｍ以下が好ましい。また、切欠部１ｄの幅は３０ｍｍ以上、特に３５ｍｍ以上が好ましく、５０ｍｍ以下、特に４５ｍｍ以下が好ましい。切欠部１ｄの深さを上記の下限値とすることにより、伸長生長した地下茎Ｔを適切に誘導しやすくなる。また、切欠部１ｄの深さを上記の上限値とすることで、根を筒内に確実に収めやすくなる。
【００４３】
図４では、切欠部１ｄは１箇所にのみ設けられているが、直径方向に対峙して２箇所設けられてもよく、さらに多く設けられてもよい。
【００４４】
この切欠部１ｄを設けた筒体１Ｂも、図５のように土壌Ｓに埋設されてカンゾウ属植物の生育に使用される。地表から数ｍｍ程度の地中において、カンゾウ属植物Ｐの株元から地下茎Ｔが伸長生長してくる。地下茎は、一般に地表から３０ｃｍ深以内を横に伸びる性質がある。従って、切欠部１ｄを設けておくと、地下茎Ｔが筒体１周囲の土壌Ｓの表面に沿って伸長生長し易くなる。
【００４５】
この場合、筒体１の側方の土壌Ｓの表面付近にトレー１０を埋設しておいてもよい。地下茎Ｔは、このトレー１０内の土壌内で伸長生長する。このトレー１０を使用することによって、カンゾウ属植物Ｐを収穫するときには、地下茎Ｔはトレー１０内の土壌と共にトレー１０から容易に離脱する。なお、本発明において、トレー１０は、略直方形状を有するものであれば、素材や大きさによらず用いることができる。また、トレー１０の中には土壌Ｓに代え、人工培土を充填することもでき、筒体１に収容されるものと同じ培土を充填することもできる。
【００４６】
図６は、筒体１Ｂの列同士の間に、トレー１０を配設した栽培途中の一例を示す平面図である。各筒体１Ｂ及びトレー１０は土壌Ｓに埋設されている。
【００４７】
列方向における筒体１Ｂの間隔（株間隔）をトレー１０の短手幅の２倍よりも若干大きいものとし、隣接する列同士で筒体１が互い違いとなるように筒体１Ｂを配列する。なお、図６の左側の列の筒体１Ｂは、切欠部１ｄが図６の右方を向き、右側の列の筒体１Ｂは、切欠部１ｄが左方を向くように埋設する。そうすると、図６の左側の列の筒体１のカンゾウ属植物Ｐからの地下茎Ｔと右側の列の筒体１のカンゾウ属植物Ｐからの地下茎Ｔとが交互に別々のトレー１０内で伸長生長する。
【００４８】
上記実施の形態は本発明の一例であり、本発明は上記以外の形態とされてもよい。
【符号の説明】
【００４９】
１，１Ａ，１Ｂ  栽培用筒体
１ａ  円筒部
１ｂ  底部
１ｃ  小孔
１ｄ  切欠部
１ｔ  凸条
１０  トレー
【図１】
2019187336.tif 000003
【図２】
2019187336.tif 000004
【図３】
2019187336.tif 000005
【図４】
2019187336.tif 000006
【図５】
2019187336.tif 000007
【図６】
2019187336.tif 000008